(57)【要約】      （修正有）【課題】ヘアカーリングアイロンを提供する。【解決手段】電気回路が内蔵されるボディ部１１０と、ボディ部の一端部と連結されて固定され、外周面に毛髪が巻き取られる発熱部１２０と、発熱部の一端部に回転可能に設置され、発熱部の周り方向への回転を行い、一側が発熱部の長さ方向に延在形成されて発熱部の周りを回転する回転部と、回転部の延在形成された一側に発熱部の長さ方向に移動可能に取り付けられ、発熱部に巻き取られる毛髪を収容するヘアホールディング部１４０と、ヘアホールディング部を発熱部の長さ方向に移動させる移動手段と、を含む。この構成によると、毛髪を発熱部に螺旋状に巻き取って、毛髪を簡単でかつ速くスタイリングできる。【選択図】図３ａ
0003220630.tif 000002
【実用新案登録請求の範囲】
【請求項１】
電気回路が内蔵されるボディ部と、
前記ボディ部の一端部と連結されて固定され、外周面に毛髪が巻き取られる発熱部と、
前記発熱部の一端部に回転可能に設置され、前記発熱部の周り方向への回転を行い、一側が前記発熱部の長さ方向に延在形成され、前記発熱部の周りを回転する回転部と、
前記回転部の延在形成された一側に前記発熱部の長さ方向に移動可能に取り付けられ、前記発熱部に巻き取られる毛髪を収容するヘアホールディング部と、
前記ヘアホールディング部を前記発熱部の長さ方向に移動させる移動手段と、を含むことを特徴とする、
ヘアカーリングアイロン。
【請求項２】
前記移動手段は、前記ヘアホールディング部と一端が連結され、前記回転部の延在形成された一側を経由して他端が後述する巻き部に固定される巻きワイヤ部材と、前記回転部において、前記発熱部の長さ方向に延在形成された一側が周りを回転するように前記ボディ部の一端部に設置され、前記回転部の回転時、周りに前記巻きワイヤ部材が巻かれる巻き部と、を含むことを特徴とする請求項１に記載のヘアカーリングアイロン。
【請求項３】
前記回転部は、前記発熱部の一端部に回転可能に設置され、前記発熱部の周り方向への回転を行う回転部材と、前記回転部材に取外し及び取付が可能に備えられ、前記ヘアホールディング部が前記発熱部の長さ方向に移動可能に取り付けられ、前記発熱部及び後述する巻き部結合体の周りを回転する支持部材と、を含み、前記移動手段は、前記支持部材が周りを回転するように前記ボディ部の一端部に設置され、円周の異なる少なくとも二つ以上の巻き部が集まって形成され、後述する結束部が前記発熱部の長さ方向に移動できるように取り付けられる巻き部結合体と、前記巻きワイヤ部材の他端が結束され、前記巻き部結合体に前記発熱部の長さ方向に移動できるように取り付ける結束部と、を更に含むことを特徴とする請求項２に記載のヘアカーリングアイロン。
【請求項４】
前記移動手段は、前記発熱部と離隔され、前記発熱部を螺旋状に取り囲み、前記ボディ部の一側に一端部が固定される離隔螺旋状ガイドユニットを含み、前記ヘアホールディング部が前記離隔螺旋状ガイドユニット方向に一側が延在形成され、前記離隔螺旋状ガイドユニットに移動可能に取り付けられ、前記回転部の回転時、前記ヘアホールディング部が前記離隔螺旋状ガイドユニットに沿って移動することを特徴とする請求項１に記載のヘアカーリングアイロン。
【請求項５】
前記移動手段は、前記発熱部の外周面に螺旋状に設けられる密着螺旋状ガイドユニットを含み、前記ヘアホールディング部が前記密着螺旋状ガイドユニット方向に一側が延在形成され、前記密着螺旋状ガイドユニットに移動可能に取り付けられ、前記回転部の回転時、前記ヘアホールディング部が前記発熱部の前記密着螺旋状ガイドユニットに沿って移動することを特徴とする請求項１に記載のヘアカーリングアイロン。
【請求項６】
前記ヘアホールディング部が毛髪に密着及び離隔可能に備えられ、前記ヘアホールディング部に設置され、前記ヘアホールディング部が毛髪に密着されるように弾性的に加圧する密着弾性部材と、前記ボディ部の外側に設置され、操作と移動が可能な作動具と、前記発熱部の長さ方向に移動可能に前記作動具と連結され、前記作動具の移動によって共に移動し、回転軌道を描く後述の離隔ユニットの一側が移動時に常に係止されるように設けられ、後述の離隔ユニットを作動させる作動片と、前記回転部に設置され、前記作動具の操作時、前記作動片の前記発熱部の長さ方向への移動を前記ヘアホールディング部の密着及び離隔に変える離隔ユニットと、を更に含むことを特徴とする請求項１に記載のヘアカーリングアイロン。
【請求項７】
前記離隔ユニットは、前記回転部にヒンジ結合して回転可能に設置され、前記作動具の操作時、前記発熱部の長さ方向に移動する前記作動片に一端が係止されて回転する回転係止片と、前記回転係止片の他端と一側が連結され、他側に前記ヘアホールディング部の一側が取り付けられて移動し、上下移動が可能に前記回転部に設置され、前記回転係止片の回転時、前記ヘアホールディング部を密着及び離隔させる回転離隔部材と、を含むことを特徴とする請求項６に記載のヘアカーリングアイロン。
【請求項８】
前記離隔ユニットは、前記回転部に前記発熱部の長さ方向に移動可能に設置され、前記作動具の操作時、前記発熱部の長さ方向に移動する前記作動片に一端が係止されて移動する移動係止片と、前記移動係止片の他端と一端が連結される離隔ワイヤ部材と、前記回転部に設置され、前記離隔ワイヤ部材の移動方向を変えるローラー部材と、前記離隔ワイヤ部材の他端と一側が連結され、他側に前記ヘアホールディング部の一側が取り付けられて移動し、上下移動が可能に前記回転部に設置され、前記移動係止片の移動時、前記ヘアホールディング部を密着及び離隔させる上下方向離隔部材と、を含むことを特徴とする請求項６に記載のヘアカーリングアイロン。
【請求項９】
前記発熱部の長さ方向に一側が延在形成される前記ヘアホールディング部と、前記ボディ部の一端部の外周面に回転可能に設置され、後述の止め部と結合される溝が設けられ、後述の回転結合部と締結されて回転するように突起が形成される前記巻き部と、を含み、前記回転部に設置され、後述の移送部を支持する移送支持台と、前記移送支持台に前記発熱部の長さ方向に移動可能に取り付けられ、一端が前記ヘアホールディング部の延在形成された一側によって移動し、第１の突出部が後述の回転移動部を、第２の突出部が後述の回転結合部を回転及び前記発熱部の長さ方向へ移動し、第２の突出部は後述の回転結合部を前記巻き部方向に弾性的に加圧するように設けられる移送部と、前記移送支持台に設置され、前記移送部を前記発熱部の長さ方向のスタート位置に還元させる移送部弾性部材と、前記移送部と、前記巻き部との間の空間の前記ボディ部の一端部の外周面に回転及び前記発熱部の長さ方向に移動可能に取り付けられ、前記回転部の第１の方向の回転時、前記移送部の第１の突出部に係止されて回転及び前記巻き部方向に前記発熱部の長さ方向へ移動し、前記回転部の第２の方向の回転時、前記発熱部の長さ方向のスタート位置に還元するために、前記移送部の第１の突出部から抜け出す溝が設けられ、後述の止め部を前記ボディ部の一端部の外周面の内外側に移動させる回転移動部と、前記ボディ部の一端部の外周面に設置され、前記回転移動部を前記発熱部の長さ方向の移動前の位置に加圧する回転移動部弾性部材と、前記回転移動部と、前記巻き部との間の空間の前記ボディ部の一端部の外周面に回転及び前記発熱部の長さ方向に移動可能に取り付けられ、前記移送部の第２の突出部と結合して、後述の止め部が前記巻き部と分離時、前記巻き部の突起と結合する溝が設けられ、前記巻き部を回転させる回転結合部と、前記回転移動部の移動によって前記ボディ部の一端部の外周面の内外側に移動可能に設置され、一端が前記回転移動部の移動によって前記ボディ部の一端部の外周面の内側に引き込みが容易になるように傾斜面を有し、中間が前記回転結合部に干渉されないように溝が設けられ、前記ボディ部の一端部の外周面の外側に移動時、他端が前記巻き部に設けられた溝と結合して前記巻き部を固定しつつ、前記回転結合部を前記巻き部と分離させるように傾斜面を有する止め部と、前記ボディ部の一端部の内側に設置され、前記止め部が前記ボディ部の一端部の外周面の外側に突出されるように弾性的に加圧する加圧弾性部材と、を更に含むことを特徴とする請求項２に記載のヘアカーリングアイロン。
【考案の詳細な説明】
【技術分野】
【０００１】
本考案は、ヘアカーリングアイロンに関するものであって、より詳細には毛髪を発熱部に便利に巻き取ることで、短い時間内に所望の形で簡単にヘアスタイルを演出できるようにしたヘアカーリングアイロンに関するものである。  
【背景技術】
【０００２】
ヘアアイロンは、ウェーブのある毛髪を伸ばしたり、ストレートで伸ばされた毛髪をウェーブさせる等のヘアスタイルを演出するための美容道具の一つとして広く使用されている。  
【０００３】
しかし、従来の毛髪をウエーブスタイルで演出するためのカーリングヘアアイロンは、使用者が直接毛髪をつまみ、ヘアアイロンで巻き付けなければならないなど、同じ毛髪に何度もわたって行わなければならない。このため、長時間の作業でカーリングの際、必要な適正熱量を超えた熱によって毛髪に損傷を与える恐れがあり、使用者の腕と手首が疲れやすく、また、火傷を負うなどのさまざまな問題がある。  
【考案の概要】
【考案が解決しようとする課題】
【０００４】
本考案は前記のような問題点を解決するために案出されたものであって、本考案の目的は、毛髪を収容するヘアホールディング部を発熱部の周り方向への回転及び長さ方向に移動させることで、毛髪を発熱部に巻き取るヘアカーリングアイロンを提供するものである。  
【課題を解決するための手段】
【０００５】
このような本考案の目的を達成するための手段として、本考案によるヘアカーリングアイロンは、電気回路が内蔵されるボディ部と連結され、外周面に毛髪が巻き取られる発熱部と、前記発熱部の一端部に隣接するように設置されて周り方向への回転を行う回転部材と、前記回転部材と結合して前記発熱部の周りを回転する支持部材、そして前記支持部材に前記発熱部の長さ方向に移動可能に取り付けられ、前記発熱部に巻き取られる毛髪を収容するヘアホールディング部と、前記ヘアホールディング部を前記発熱部の長さ方向に移動させる移動手段と、を含むことを特徴とする。  
【０００６】
これによって、前記ヘアホールディング部は、前記発熱部の外周面の周り方向への回転及び長さ方向への移動を同時にすることで、前記発熱部の外周面に毛髪を螺旋状に巻き取るようになる。  
【考案の効果】
【０００７】
以上のような構成の本考案によるヘアカーリングアイロンによると、毛髪を速く発熱部に巻き取ることで、施術時間が短くなって、毛髪の損傷を最小化する効果がある。  
【０００８】
また、本考案によるヘアカーリングアイロンによると、毛髪を便利に発熱部に巻き取ることで、使用者の腕と手首が疲れやすくなる短所を補完する効果がある。  
【図面の簡単な説明】
【０００９】
【図１ａ】ヘアホールディング部１４０を発熱部１２０の長さ方向に移動させる移動手段が除かれた本考案の好ましい一実施例によるヘアカーリングアイロン１００を示した斜視図である。
【図１ｂ】ボディ部１１０に駆動部が内蔵されたヘアカーリングアイロン１００を示した斜視図である。
【図１ｃ】図１ａのヘアホールディング部１４０を拡大示した斜視図である。
【図２】本考案による好ましい移動手段の一実施例が示されている斜視図である。
【図３ａ】本考案による好ましい移動手段の他の実施例が示された斜視図である。
【図３ｂ】図３ａの巻き部結合体２０２を拡大示した斜視図である。
【図４】本考案による好ましい移動手段のまた他の実施例が示された斜視図である。
【図５】本考案による好ましい移動手段のまた他の実施例が示された斜視図である。
【図６ａ】本考案によるヘアホールディング部１４０を離隔させる好ましい一実施例が示された斜視図である。
【図６ｂ】図６ａの部分拡大斜視図である。
【図７ａ】本考案によるヘアホールディング部１４０を離隔させる好ましい他の実施例が示された斜視図である。
【図７ｂ】図７ａの部分拡大斜視図である。
【図８】本考案による特定地点に至るヘアホールディング部１４０が発熱部１２０の長さ方向への移動なしで発熱部１２０の周り回転のみするように構成されるヘアカーリングアイロン１００を示した斜視図と回転移動部４０４と止め部４０７を拡大示した斜視図である。
【図９ａ】特定地点に至るヘアホールディング部１４０が発熱部１２０の長さ方向への移動なしで発熱部１２０の周り回転のみするように構成されるヘアカーリングアイロン１００の作動過程の構成要素を部分拡大示した斜視図であり、回転部１３０が第１の方向に回転するときの作動過程を拡大示した斜視図である。
【図９ｂ】特定地点に至るヘアホールディング部１４０が発熱部１２０の長さ方向への移動なしで発熱部１２０の周り回転のみするように構成されるヘアカーリングアイロン１００の作動過程の構成要素を部分拡大示した斜視図であり、発熱部１２０の長さ方向に延在形成されたヘアホールディング部１４０の一側が移送部４０１を巻き部２０１方向に移動させる過程を拡大示した斜視図である。
【図９ｃ】特定地点に至るヘアホールディング部１４０が発熱部１２０の長さ方向への移動なしで発熱部１２０の周り回転のみするように構成されるヘアカーリングアイロン１００の作動過程の構成要素を部分拡大示した斜視図であり、回転部１３０が第２の方向に回転を開始するとき、回転移動部４０４が移送部４０１の第１の突出部４０１ａから抜け出す過程を拡大示した斜視図である。
【図９ｄ】特定地点に至るヘアホールディング部１４０が発熱部１２０の長さ方向への移動なしで発熱部１２０の周り回転のみするように構成されるヘアカーリングアイロン１００の作動過程の構成要素を部分拡大示した斜視図であり、続いて、第２の方向に回転する回転部１３０によってヘアホールディング部１４０が発熱部１２０の長さ方向への移動を行って、施術前の開始位置に還元される準備を終えて、移送部４０１が移送部弾性部材４０２により元の位置に移動される過程を拡大示した斜視図である。
【考案を実施するための形態】
【００１０】
本考案の好ましい実施例を添付された図面に基づいて具体的に調べてみる。  
【００１１】
図２に示したとおり、本考案の好ましい一実施例によるヘアカーリングアイロン１００は、電気回路（未図示）が内蔵されるボディ部１１０と、ボディ部１１０の一端部と連結固定され、外周面に毛髪が巻き取られる発熱部１２０と、発熱部１２０の一端部に回転可能に設置され、発熱部１２０の周り方向への回転を行い、一側が発熱部１２０の長さ方向に延在形成されて発熱部１２０の周りを回転する回転部１３０と、回転部１３０の延在形成された一側に発熱部１２０の長さ方向に移動可能に取り付けられ、発熱部１２０に巻き取られる毛髪を収容するヘアホールディング部１４０と、を含めている。  
【００１２】
ヘアホールディング部１４０を発熱部１２０の長さ方向に移動させる移動手段は、様々な実施例が本考案に述べられている。図２においては、ヘアホールディング部１４０と一端が連結され、回転部１３０における発熱部１２０の長さ方向に延在形成された一側を経由して他端が後述する巻き部２０１に固定される巻きワイヤ部材２０５、そして回転部１３０における発熱部１２０の長さ方向に延在形成された一側が周りを回転するようにボディ部１１０の一端部に設置され、回転部１３０の回転時、周りに巻きワイヤ部材２０５が巻かれる巻き部２０１を含めて構成されている。  
【００１３】
回転部１３０における発熱部１２０の長さ方向に延在形成された一側は、発熱部１２０だけでなく、ボディ部１１０方向においても延在形成することができる。よって、回転部１３０の延在形成された一側は発熱部１２０の周りだけでなく、ボディ部１１０の一端部に設置された巻き部２０１の周りも回転することができる。  
【００１４】
それで、回転部１３０における発熱部１２０の長さ方向に延在形成された一側が回転する間に、巻きワイヤ部材２０５は巻き部２０１に巻かれ、よって、回転部１３０における発熱部１２０の長さ方向に延在形成された一側に取り付けられたヘアホールディング部１４０は、巻き部２０１に巻かれた巻きワイヤ部材２０５の長さだけ発熱部１２０の長さ方向へ移動する。
例えば、回転部１３０における発熱部１２０の長さ方向に延在形成された一側が発熱部１２０の周りを一回転すると、巻きワイヤ部材２０５も、巻き部２０１に一回り巻かれるようになる。このように巻き部２０１に巻かれた巻きワイヤ部材２０５の長さだけヘアホールディング部１４０が発熱部１２０の長さ方向に移動するようになるので、発熱部１２０において螺旋状に巻き取られる毛髪が重ならないようにするためには、ヘアホールディング部１４０に収容される毛髪の幅を考慮して巻き部２０１の周りの長さを定めることができる。このように図２に示した通りのヘアカーリングアイロンの形が最善として考慮される。  
【００１５】
図４は、本考案による好ましい移動手段の他の実施例が示された斜視図である。  
【００１６】
発熱部１２０と離隔されて発熱部１２０を螺旋状に取り囲み、ボディ部１１０の一側に一端部が固定される離隔螺旋状ガイドユニット２１２と、ヘアホールディング部１４０が離隔螺旋状ガイドユニット２１２の方向に一側が延在形成されて離隔螺旋状ガイドユニット２１２に移動可能に取り付けられている。よって、回転部１３０の回転時、ヘアホールディング部１４０が離隔螺旋状ガイドユニット２１２に沿って移動して毛髪が発熱部１２０に螺旋状に巻き取られる。
離隔螺旋状ガイドユニット２１２は、回転部１３０の回転時、発熱部１２０の長さ方向にヘアホールディング部１４０がガイドされて移動するように発熱部１２０の長さ方向に螺旋状に伸びることができる。離隔螺旋状ガイドユニット２１２と延在形成されたヘアホールディング部１４０の一側のいずれかには他の一つに向かって突起が形成され、もう一つには突起が挟まれて結合する溝が形成できる。これによって、回転部１３０の回転時、ヘアホールディング部１４０が離隔螺旋状ガイドユニット２１２に沿って移動される形態を考慮することができる。  
【００１７】
図５に示したまた他の形のヘアカーリングアイロンは、発熱部１２０の外周面に螺旋状で設けられる密着螺旋状ガイドユニット２２２と、ヘアホールディング部１４０が密着螺旋状ガイドユニット２２２の方向に一側が延在形成されて密着螺旋状ガイドユニット２２２に移動可能に取り付けられている。よって、回転部１３０の回転時、ヘアホールディング部１４０が発熱部１２０の密着螺旋状ガイドユニット２２２に沿って移動して毛髪が発熱部１２０に螺旋状に巻き取られる。  
【００１８】
密着螺旋状ガイドユニット２２２は、発熱部１２０の外周面に設けられ、回転部１３０の回転時、発熱部１２０の長さ方向に沿ってヘアホールディング部１４０が移動するように発熱部１２０の長さ方向に螺旋状に伸びることができる。
密着螺旋状ガイドユニット２２２と延在形成されたヘアホールディング部１４０の一側のいずれかには他の一つに向かって突起が形成され、もう一つには突起が挟まれて結合する溝が形成できる。これによって、回転部１３０の回転時、ヘアホールディング部１４０が発熱部１２０の密着螺旋状ガイドユニット２２２に沿って移動する形態を考慮することができる。
【００１９】
本考案によるヘアカーリングアイロンによると、毛髪を速く発熱部に巻き取ることで、施術時間が短くなって、毛髪の損傷を最小化する効果がある。また、本考案によるヘアカーリングアイロンによると、毛髪を簡単に発熱部に巻き取ることで、使用者の腕と手首が疲れやすくなる短所を補完する効果がある。  
【００２０】
したがって、ヘアを手軽にかつ安全にカーリングしようとする欲求を有する利用者において、本考案は十分にアピールできるので、産業上利用可能性と商業性は十分である。  
【符号の説明】
【００２１】
１００    ヘアカーリングアイロン
１１０    ボディ部
１２０    発熱部
１３０    回転部
１４０    ヘアホールディング部
２０１    巻き部
２０２    巻き部結合体
２０５    巻きワイヤ部材
２１２    離隔螺旋状ガイドユニット
２２２    密着螺旋状ガイドユニット
４０１    移送部
４０１ａ  第１の突出部
４０２    移送部弾性部材
４０４    回転移動部
４０７    止め部
【図１ａ】
0003220630.tif 000003
【図１ｂ】
0003220630.tif 000004
【図１ｃ】
0003220630.tif 000005
【図２】
0003220630.tif 000006
【図３ａ】
0003220630.tif 000007
【図３ｂ】
0003220630.tif 000008
【図４】
0003220630.tif 000009
【図５】
0003220630.tif 000010
【図６ａ】
0003220630.tif 000011
【図６ｂ】
0003220630.tif 000012
【図７ａ】
0003220630.tif 000013
【図７ｂ】
0003220630.tif 000014
【図８】
0003220630.tif 000015
【図９ａ】
0003220630.tif 000016
【図９ｂ】
0003220630.tif 000017
【図９ｃ】
0003220630.tif 000018
【図９ｄ】
0003220630.tif 000019